(57)【特許請求の範囲】
【請求項１】
第１発光管及び第１凹面鏡を有し、第１光束を射出する第１光源部分と、
第２発光管及び第２凹面鏡を有し、第２光束を射出する第２光源部分と、
前記第１光束と前記第２光束とを合成する光合成部と、
前記第１光束の光路と、前記第２光束の光路とを、それぞれ２段階で調整する調整装置と、
前記光合成部を経た前記第１光束と前記第２光束とを均一化する均一化光学系と、
前記均一化光学系からの光束を画像情報に応じて変調する光変調部と、
前記光変調部を経た像光を投射する投射光学系と、
を備え、
前記調整装置は、前記第１光束と前記第２光束との前記均一化光学系に入射する光の照射位置と照射角度とに関して調整し、
前記光合成部は、前記第１光源部分から前記均一化光学系にかけての第１照明光路上に前記第２光束との干渉を避けつつ角度調整可能に配置される２つのミラーを有する第１光路屈曲部と、前記第２光源部分から前記均一化光学系にかけての第２照明光路上に前記第１光束との干渉を避けつつ角度調整可能に配置される２つのミラーを有する第２光路屈曲部とを備え、
前記調整装置は、前記第１及び第２光路屈曲部にそれぞれ設けた前記２つのミラーによって、前記第１及び第２照明光路を２段階でそれぞれ折り曲げることによって、光路の配置の調整を行うプロジェクタ。
【請求項２】
第１発光管及び第１凹面鏡を有し、第１光束を射出する第１光源部分と、
第２発光管及び第２凹面鏡を有し、第２光束を射出する第２光源部分と、
前記第１光束と前記第２光束とを合成する光合成部と、
前記第１光束の光路と、前記第２光束の光路とを、それぞれ２段階で調整する調整装置と、
前記光合成部を経た前記第１光束と前記第２光束とを均一化する均一化光学系と、
前記均一化光学系からの光束を画像情報に応じて変調する光変調部と、
前記光変調部を経た像光を投射する投射光学系と、
を備え、
前記調整装置は、前記第１光束と前記第２光束との前記均一化光学系に入射する光の照射位置と照射角度とに関して調整し、
前記光合成部は、前記第１光源部分から前記均一化光学系にかけての第１照明光路上に前記第２光束との干渉を避けつつ角度調整可能に配置される少なくとも１つのミラーを有する第１光路屈曲部と、前記第２光源部分から前記均一化光学系にかけての第２照明光路上に前記第１光束との干渉を避けつつ角度調整可能に配置される少なくとも１つのミラーを有する第２光路屈曲部と、前記第１照明光路と前記第２照明光路とが重複する位置に角度調整可能に配置される共通ミラーとを有し、
前記調整装置は、前記第１光路屈曲部に設けた前記少なくとも１つのミラーと前記共通ミラーとによって前記第１照明光路を２段階で折り曲げ、前記第２光路屈曲部に設けた前記少なくとも１つのミラーと前記共通ミラーとによって前記第２照明光路を２段階で折り曲げることによって、光路の配置の調整を行うプロジェクタ。
【請求項３】
第１発光管及び第１凹面鏡を有し、第１光束を射出する第１光源部分と、
第２発光管及び第２凹面鏡を有し、第２光束を射出する第２光源部分と、
前記第１光束と前記第２光束とを合成する光合成部と、
前記第１光束の光路と、前記第２光束の光路とを、それぞれ２段階で調整する調整装置と、
前記光合成部を経た前記第１光束と前記第２光束とを均一化する均一化光学系と、
前記均一化光学系からの光束を画像情報に応じて変調する光変調部と、
前記光変調部を経た像光を投射する投射光学系と、
を備え、
前記調整装置は、前記第１光束と前記第２光束との前記均一化光学系に入射する光の照射位置と照射角度とに関して調整し、
前記第１光源部分は、前記第１発光管及び前記第１凹面鏡の後段に第１集光レンズを備え、
前記第２光源部分は、前記第２発光管及び前記第２凹面鏡の後段に第２集光レンズを備え、
前記光合成部は、前記第１及び第２光源部分から前記均一化光学系にかけての照明光路上に少なくとも１つのミラーを備え、
前記調整装置は、前記第１集光レンズと前記第２集光レンズとをシステム光軸に垂直な方向に個別に変位させるとともに、前記少なくとも１つのミラーによって光路を折り曲げる角度を変化させることによって、光路の配置の調整を行うプロジェクタ。
【請求項４】
前記第１集光レンズと前記第２集光レンズとは、システム光軸に沿って個別に変位可能である、請求項３に記載のプロジェクタ。
【請求項５】
第１発光管及び第１凹面鏡を有し、第１光束を射出する第１光源部分と、
第２発光管及び第２凹面鏡を有し、第２光束を射出する第２光源部分と、
前記第１光束と前記第２光束とを合成する光合成部と、
前記第１光束の光路と、前記第２光束の光路とを、それぞれ２段階で調整する調整装置と、
前記光合成部を経た前記第１光束と前記第２光束とを均一化する均一化光学系と、
前記均一化光学系からの光束を画像情報に応じて変調する光変調部と、
前記光変調部を経た像光を投射する投射光学系と、
を備え、
前記調整装置は、前記第１光束と前記第２光束との前記均一化光学系に入射する光の照射位置と照射角度とに関して調整し、
前記第１光源部分の前記第１凹面鏡は、前記第１発光管から射出される光束を収束させ、
前記第２光源部分の前記第１凹面鏡は、前記第２発光管から射出される光束を収束させ、
前記光合成部は、前記第１及び第２光源部分から前記均一化光学系にかけての照明光路上に少なくとも１つのミラーを備え、
前記調整装置は、前記第１光源部分と前記第２光源部分とをシステム光軸に垂直な方向に個別に変位させるとともに、前記少なくとも１つのミラーによって光路を折り曲げる角度を変化させることによって、光路の配置の調整を行うプロジェクタ。
【請求項６】
前記第１光源部分と前記第２光源部分とは、システム光軸に沿って個別に変位可能である、請求項５に記載のプロジェクタ。
【請求項７】
第１発光管、第１凹面鏡、及び第１集光レンズを有し、第１光束を射出する第１光源部分と、
第２発光管、第２凹面鏡、及び第２集光レンズを有し、第２光束を射出する第２光源部分と、
前記第１光束と前記第２光束とを合成する光合成部と、
前記第１集光レンズをシステム光軸に垂直な第１方向に変位させつつ前記システム光軸及び前記第１方向に垂直な第１回転軸のまわりに回転させるとともに、前記第２集光レンズを前記システム光軸に垂直な第２方向に変位させつつ前記システム光軸及び前記第２方向に垂直な第２回転軸のまわりに回転させることによって、前記第１光束の光路と前記第２光束の光路とを、それぞれ調整する調整装置と、
前記第１光束と前記第２光束との合成光を均一化する均一化光学系と、
前記均一化光学系からの光束を画像情報に応じて変調する光変調部と、
前記光変調部を経た像光を投射する投射光学系と、
を備えるプロジェクタ。
【請求項８】
第１発光管及び第１凹面鏡を有し、第１光束を射出する第１光源部分と、
第２発光管及び第２凹面鏡を有し、第２光束を射出する第２光源部分と、
前記第１光束と前記第２光束とを合成する光合成部と、
前記第１光源部分をシステム光軸に垂直な第１方向に変位させつつ前記システム光軸及び前記第１方向に垂直な第１回転軸のまわりに回転させるとともに、前記第２光源部分を前記システム光軸に垂直な第２方向に変位させつつ前記システム光軸及び前記第２方向に垂直な第２回転軸のまわりに回転させることによって、前記第１光束の光路と前記第２光束の光路とを、それぞれ調整する調整装置と、
前記第１光束と前記第２光束との合成光を均一化する均一化光学系と、
前記均一化光学系からの光束を画像情報に応じて変調する光変調部と、
前記光変調部を経た像光を投射する投射光学系と、
を備えるプロジェクタ。
【発明の詳細な説明】
【技術分野】
【０００１】
本発明は、液晶パネル等の光変調装置によって形成した画像をスクリーン上に投射するプロジェクタに関する。
【背景技術】
【０００２】
従来のプロジェクタとして、２つの放電ランプを備え、２つの反射ミラーと反射プリズムとによって光路を折り曲げつつ合成するものが存在する（特許文献１参照）。
【０００３】
また、別のプロジェクタとして、２つのランプユニット部を備え、合成ミラー部によって光路を２段階に折り曲げつつ合成するものが存在する（特許文献２参照）。このプロジェクタでは、合成ミラー部の位置調整によって２つの放電ランプの輝度分布を調整している。なお、この特許文献２には、さらに別のプロジェクタとして、２つのランプユニット部を備え、２つのミラーによって光路を折り曲げつつ合成するものが開示されており、各ミラーを光軸を含む平面に垂直な軸のまわりに回転させる。
【特許文献１】特開２０００−３６１２号公報
【特許文献２】ＷＯ２００４／０３４１４２号公報
【発明の開示】
【発明が解決しようとする課題】
【０００４】
しかしながら、特許文献１に開示のプロジェクタは、２つの放電ランプからの光束を適切にアライメントしてインテグレータレンズの各セルに導かなければならないため、２つの放電ランプからの光束を無駄なく合成して照明光として利用することが容易でない。例えば、インテグレータレンズの前に配置されるミラーの取付け角度のズレや、２つの放電ランプ取付け位置のズレがある場合、インテグレータレンズのいずれかのセルで光源像がはみ出す確率が高まり、照明輝度の低下をまねくとともに、照度分布を崩すことになるおそれがある。
【０００５】
また、特許文献２に開示のプロジェクタは、合成ミラー部や２つのミラーを利用して片側のランプユニット部のみが点灯される場合にも均一性を確保できるが、両ランプユニット部からの光束を同時に使用する場合には、必ずしも均一性を確保することができない。すなわち、合成ミラー部を移動させ又は２つのミラーを回転させた場合、インテグレータレンズへの照明光の入射位置と入射角度とが同時に変化し、照明光の入射位置と入射角度とを考慮した精密なアライメントが困難である。
【０００６】
そこで、本発明は、２つのランプからの光束を無駄なく合成して照明光として利用することができ、特に、インテグレータレンズへの照明光の入射位置と入射角度とを個別に調整可能なプロジェクタを提供することを目的とする。
【課題を解決するための手段】
【０００７】
上記課題を解決するため、本発明に係る第１のプロジェクタは、（ａ）第１発光管及び第１凹面鏡を有し、第１光束を射出する第１光源部分と、（ｂ）第２発光管及び第２凹面鏡を有し、第２光束を射出する第２光源部分と、（ｃ）第１光束と第２光源部分光束とを合成する光合成部と、（ｄ）第１光束の光路と第２光束の光路とを、それぞれ２段階で調整する調整装置と、（ｅ）光合成部を経た第１光束と第２光束とを均一化する均一化光学系と、（ｆ）均一化光学系からの光束を画像情報に応じて変調する光変調部と、（ｇ）光変調部を経た像光を投射する投射光学系とを備える。
【０００８】
上記プロジェクタによれば、調整装置が第１光束と第２光束とを、それぞれ光路の配置を２段階で調整可能にするので、両光源部分からの第１及び第２光束の調整がいずれもより多元的になり、両光源部分からの第１及び第２光束をぞれぞれ無駄なく合成して照明光として利用することができる。
【０００９】
また、本発明の具体的な態様又は側面によれば、上記プロジェクタにおいて、調整装置が、第１光束と第２光束とを照射位置と照射角度とに関して調整する。この場合、両光源部分からの第１及び第２光束を照射位置と照射角度とに関して調整することにより、両光源部分からの第１及び第２光束をともに精密にアライメントして、次段の均一化光学系に対してこれに適合する状態で入射させることができる。
【００１０】
また、本発明の別の態様によれば、光合成部が、第１光源部分から均一化光学系にかけての第１照明光路上に第２光束との干渉を避けつつ角度調整可能に配置される２つのミラーを有する第１光路屈曲部と、第２光源部分から均一化光学系にかけての第２照明光路上に第１光束との干渉を避けつつ角度調整可能に配置される２つのミラーを有する第２光路屈曲部とを備え、調整装置が、第１及び第２光路屈曲部にそれぞれ設けた２つのミラーによって、第１及び第２照明光路を２段階でそれぞれ折り曲げることによって、光路の配置の調整を行う。この場合、第１照明光路と第２照明光路とに関して、独立して照射位置と照射角度とを調整することができる。
【００１１】
また、本発明のさらに別の態様によれば、光合成部が、第１光源部分から均一化光学系にかけての第１照明光路上に第２光束との干渉を避けつつ角度調整可能に配置される少なくとも１つのミラーを有する第１光路屈曲部と、第２光源部分から均一化光学系にかけての第２照明光路上に第１光束との干渉を避けつつ角度調整可能に配置される少なくとも１つのミラーを有する第２光路屈曲部と、第１照明光路と第２照明光路とが重複する位置に角度調整可能に配置される共通ミラーとを有し、調整装置が、第１光路屈曲部に設けた少なくとも１つのミラーと共通ミラーとによって第１照明光路を２段階で折り曲げ、第２光路屈曲部に設けた少なくとも１つのミラーと共通ミラーとによって第２照明光路を２段階で折り曲げることによって、光路の配置の調整を行う。この場合、第１照明光路と第２照明光路との少なくとも一方に関して、独立して照射位置と照射角度とを調整することができる。
【００１２】
また、本発明のさらに別の態様によれば、第１光源部分が、第１発光管及び第１凹面鏡の後段に第１集光レンズを備え、第２光源部分が、第２発光管及び第２凹面鏡の後段に第２集光レンズを備え、光合成部が、第１及び第２光源部分から均一化光学系にかけての照明光路上に少なくとも１つのミラーを備え、調整装置が、第１集光レンズと第２集光レンズとをシステム光軸に垂直な方向に個別に変位させるとともに、少なくとも１つのミラーによって光路を折り曲げる角度を変化させることによって、光路の配置の調整を行う。この場合、第１照明光路と第２照明光路との少なくとも一方に関して、独立して照射位置と照射角度とを調整することができる。
【００１３】
また、本発明のさらに別の態様によれば、第１集光レンズと第２集光レンズとが、システム光軸に沿って個別に変位可能である。この場合、第１集光レンズや第２集光レンズによる光軸上の集光位置を調整することができ、光合成部に含まれるミラー上で光束が位置ズレして光束が一部遮断されることを防止できる。
【００１４】
また、本発明のさらに別の態様によれば、第１光源部分の第１凹面鏡が、第１発光管から射出される光束を収束させ、第２光源部分の第１凹面鏡が、第２発光管から射出される光束を収束させ、光合成部が、第１及び第２光源部分から均一化光学系にかけての照明光路上に少なくとも１つのミラーを備え、調整装置が、第１光源部分と第２光源部分とをシステム光軸に垂直な方向に個別に変位させるとともに、少なくとも１つのミラーによって光路を折り曲げる角度を変化させることによって、光路の配置の調整を行う。この場合、第１照明光路と第２照明光路との少なくとも一方に関して、独立して照射位置と照射角度とを調整することができる。
【００１５】
また、本発明のさらに別の態様によれば、第１光源部分と第２光源部分とが、システム光軸に沿って個別に変位可能である。この場合、この場合、第１光源部分や第２光源部分による光軸上の集光位置を調整することができ、光合成部に含まれるミラー上で光束が位置ズレして光束が一部遮断されることを防止できる。
【００１６】
本発明に係る第２のプロジェクタは、（ａ）第１発光管、第１凹面鏡、及び第１集光レンズを有し、第１光束を射出する第１光源部分と、（ｂ）第２発光管、第２凹面鏡、及び第２集光レンズを有し、第２光束を射出する第２光源部分と、（ｃ）第１光束と第２光束とを合成する光合成部と、（ｄ）第１集光レンズをシステム光軸に垂直な第１方向に変位させつつシステム光軸及び第１方向に垂直な第１回転軸のまわりに回転させるとともに、第２集光レンズをシステム光軸に垂直な第２方向に変位させつつシステム光軸及び第２方向に垂直な第２回転軸のまわりに回転させることによって、第１光束の光路と第２光束の光路とを、それぞれ調整する調整装置と、（ｅ）第１光束と第２光束との合成光を均一化する均一化光学系と、（ｆ）均一化光学系からの光束を画像情報に応じて変調する光変調部と、（ｇ）光変調部を経た像光を投射する投射光学系とを備える。
【００１７】
上記プロジェクタによれば、調整装置が第１集光レンズをシステム光軸に垂直な第１方向に変位させつつシステム光軸及び第１方向に垂直な第１回転軸のまわりに回転させるとともに、第２集光レンズをシステム光軸に垂直な第２方向に変位させつつシステム光軸及び第２方向に垂直な第２回転軸のまわりに回転させるので、両光源部分からの第１及び第２光束の調整がそれぞれより多元的になり、両光源部分からの第１及び第２光束を無駄なく合成して照明光として利用することができる。この際、両光源部分からの第１及び第２光束を照射位置と照射角度とに関して個別に調整することができるので、両光源部分からの第１及び第２光束をともに精密にアライメントして、次段の均一化光学系に適合する状態で入射させることができる。
【００１８】
本発明に係る第３のプロジェクタは、（ａ）第１発光管及び第１凹面鏡を有し、第１光束を射出する第１光源部分と、（ｂ）第２発光管及び第２凹面鏡を有し、第２光束を射出する第２光源部分と、（ｃ）第１光束と第２光束とを合成する光合成部と、（ｄ）第１光源部分をシステム光軸に垂直な第１方向に変位させつつシステム光軸及び第１方向に垂直な第１回転軸のまわりに回転させるとともに、第２光源部分をシステム光軸に垂直な第２方向に変位させつつシステム光軸及び第２方向に垂直な第２回転軸のまわりに回転させることによって、第１光束の光路と第２光束の光路とを、それぞれ調整する調整装置と、（ｅ）第１光束と第２光束との合成光を均一化する均一化光学系と、（ｆ）均一化光学系からの光束を画像情報に応じて変調する光変調部と、（ｇ）光変調部を経た像光を投射する投射光学系とを備える。
【００１９】
上記プロジェクタによれば、調整装置が第１光源部分をシステム光軸に垂直な第１方向に変位させつつシステム光軸及び第１方向に垂直な第１回転軸のまわりに回転させるとともに、第２光源部分をシステム光軸に垂直な第２方向に変位させつつシステム光軸及び第２方向に垂直な第２回転軸のまわりに回転させるので、両光源部分からの第１及び第２光束の調整がそれぞれより多元的になり、両光源部分からの第１及び第２光束を無駄なく合成して照明光として利用することができる。この際、両光源部分からの第１及び第２光束を照射位置と照射角度とに関して個別に調整することができるので、両光源部分からの第１及び第２光束をともに精密にアライメントして、次段の均一化光学系に適合する状態で入射させることができる。
【発明を実施するための最良の形態】
【００２０】
〔第１実施形態〕
図１は、本発明の第１実施形態に係るプロジェクタの光学系の構造を概念的に説明する平面図である。
【００２１】
本プロジェクタ１００は、光源光を発生する第１光源部分１０ａと、同様に光源光を発生する第２光源部分１０ｂと、両光源部分１０ａ，１０ｂから射出される光束を合成する光合成部１４と、両光源部分１０ａ，１０ｂから光合成部１４を経て射出される光束を光路の配置に関して調整するための調整装置３０と、光合成部１４から射出された光束を均一化する均一化光学系１６と、均一化光学系１６から射出された光束を赤緑青の３色に分離する色分離光学系２３と、色分離光学系２３から射出された各色の照明光によって照明される光変調部２５と、光変調部２５からの各色の変調光を合成するクロスダイクロイックプリズム２７と、クロスダイクロイックプリズム２７を経た像光をスクリーン（不図示）に投射するための投射光学系である投射レンズ２９とを備える。
【００２２】
以上のプロジェクタ１００において、第１光源部分１０ａは、高圧水銀ランプ等からなる第１発光管１２ａと、第１発光管１２ａから射出された光源光を前方に反射する放物面型の第１凹面鏡１２ｃと、第１凹面鏡１２ｃで反射された光源光を収束させる第１集光レンズ１２ｅとを備える。第１光源部分１０ａは、第１発光管１２ａから周囲に放射された光束を集めて射出し、第２光源部分１０ｂと協働して、光合成部１４を介し均一化光学系１６に略平行化された光束を供給する機能を有する。
【００２３】
第２光源部分１０ｂは、第１光源部分１０ａと同様に、高圧水銀ランプ等からなる第２発光管１２ｂと、第２発光管１２ｂから射出された光源光を前方に反射する放物面型の第２凹面鏡１２ｄと、第２凹面鏡１２ｄで反射された光源光を収束させる第２集光レンズ１２ｆとを備える。第２光源部分１０ｂは、第２発光管１２ｂから周囲に放射された光束を集めて射出し、第１光源部分１０ａと協働して均一化光学系１６に略平行化された光束を供給する機能を有する。ここで、第２発光管１２ｂは、第１光源部分１０ａを構成する第１発光管１２ａと光学的に略同一の構造を有し、第２凹面鏡１２ｄは、第１光源部分１０ａを構成する第１凹面鏡１２ｃと光学的に略同一の構造を有し、第２集光レンズ１２ｆは、第１光源部分１０ａを構成する第１集光レンズ１２ｅと光学的に略同一の構造を有する。
【００２４】
光合成部１４は、第１回動ミラー１４ａ，１４ｂと、第２回動ミラー１４ｃ，１４ｄと、第３固定ミラー１４ｆと、第４固定ミラー１４ｇと、コリメートレンズ１４ｈとを備える。ここで、第１回動ミラー１４ａと第２回動ミラー１４ｃとは、紙面に平行に延びる第１照明光路ＬＰ１上に配置されて第１光路屈曲部ＷＦ１を構成し、第１光源部分１０ａからの第１光束を第３固定ミラー１４ｆ及び第４固定ミラー１４ｇを介して均一化光学系１６に導く役割を有する。この第１光路屈曲部ＷＦ１は、後述する調整装置３０によって調整動作可能になっており、第１光源部分１０ａの光路すなわち第１照明光路ＬＰ１を両回動ミラー１４ａ，１４ｃで２度折り曲げる際に、両回動ミラー１４ａ，１４ｃの角度状態に応じて第１照明光路ＬＰ１の配置を２段階で微調整可能になっている。一方、第１回動ミラー１４ｂと第２回動ミラー１４ｄとは、紙面に平行に延びる第２照明光路ＬＰ２上に配置されて第２光路屈曲部ＷＦ２を構成し、第２光源部分１０ｂからの第２光束を第３固定ミラー１４ｆ及び第４固定ミラー１４ｇを介して均一化光学系１６に導く役割を有する。この第２光路屈曲部ＷＦ２は、後述する調整装置３０によって調整動作可能になっており、第２光源部分１０ｂの光路すなわち第２照明光路ＬＰ２を両回動ミラー１４ｂ，１４ｄで２度折り曲げる際に、両回動ミラー１４ｂ，１４ｄの角度状態に応じて第２照明光路ＬＰ２の配置を２段階で微調整可能になっている。
【００２５】
なお、第３及び第４固定ミラー１４ｆ，１４ｇは、第１及び第２照明光路ＬＰ１，ＬＰ２が共通する部分に配置されている共通ミラーである。また、コリメートレンズ１４ｈは、両光源部分１０ａ，１０ｂの集光レンズ１２ｅ，１２ｆによって一旦第２回動ミラー１４ｃ，１４ｄ付近に一旦集光され再度発散する第１及び第２光束を均一化光学系１６に入射させる前に平行化する役割を有する。
【００２６】
調整装置３０は、第１回動ミラー１４ａ，１４ｂをそれぞれ紙面に垂直な回転軸ＡＸのまわりに回転可能かつ固定可能に支持する第１支持部３１ａ，３１ｂと、第２回動ミラー１４ｃ，１４ｄをそれぞれ紙面に垂直な回転軸ＡＸのまわりに回転可能かつ固定可能に支持する第２支持部３３ａ，３３ｂと、集光レンズ１２ｅ，１２ｆをそれぞれシステム光軸ＳＡ１，ＳＡ２に沿って移動可能かつ固定可能に支持する第３支持部３６ａ，３６ｂとを備える。ここで、第１及び第２支持部３１ａ，３１ｂ，３３ａ，３３ｂは、各ミラー１４ａ，１４ｂ，１４ｃ，１４ｄの回転支持機構や、各ミラー１４ａ，１４ｂ，１４ｃ，１４ｄの回転位置固定機構を含む。また、第３支持部３６ａ，３６ｂは、両集光レンズ１２ｅ，１２ｆの摺動機構や、各集光レンズ１２ｅ，１２ｆの摺動位置固定機構を含む。
【００２７】
ここで、第１支持部３１ａに支持された第１回動ミラー１４ａは、例えば駆動部３２ａに駆動されてシステム光軸ＳＡ１に垂直な回転軸ＡＸのまわりに適宜回転して、第１回動ミラー１４ａから第２回動ミラー１４ｃに向かう光束の角度や位置を調整する。また、第２支持部３３ａに支持された第２回動ミラー１４ｃは、例えば駆動部３４ａに駆動されてシステム光軸ＳＡ１に垂直な回転軸ＡＸのまわりに適宜回転して、第２回動ミラー１４ｃから第３固定ミラー１４ｆに向かう光束の角度や位置を調整する。以上により、第１光源部分１０ａから射出される第１光束の光路すなわち第１照明光路ＬＰ１の配置を、第１光路屈曲部ＷＦ１において２段階で調整することができる。つまり、第１光路屈曲部ＷＦ１の存在により、第１光源部分１０ａから均一化光学系１６のレンズアレイ１６ａ，１６ｂに入射する照明光の照射位置と照射角度とを微調整することができる。
【００２８】
図２は、第１光路屈曲部ＷＦ１による照明光の照射位置と照射角度との調整を説明する光路展開図である。図２（Ａ）に示す場合、第１光路屈曲部ＷＦ１を構成する一対の回動ミラー１４ａ，１４ｃの独立した角度調整によって、照明光の照射位置をシステム光軸ＳＡ１と一致する当初の位置から距離ｄだけシフトさせている。また、図２（Ｂ）に示す場合、第１光路屈曲部ＷＦ１を構成する一対の回動ミラー１４ａ，１４ｃの独立した角度調整によって、照明光の照射角度をシステム光軸ＳＡ１に平行な当初の方向から角度θだけ傾斜させている。以上から明らかなように、第１光路屈曲部ＷＦ１に設けた両回動ミラー１４ａ，１４ｃの回転姿勢を両支持部３１ａ，３３ａによって適宜調整することにより、均一化光学系１６に入射させる第１光束の照射位置や照射角度を個別に調整することができる。この際、両支持部３１ａ，３３ａを動作させる駆動部３２ａ，３３ａの駆動量をコンピュータに演算させることができ、上記距離ｄや角度θを単独で迅速に調整可能な装置とすることができる。
【００２９】
図１に戻って、第２光路屈曲部ＷＦ２において、第１支持部３１ｂに支持された第１回動ミラー１４ｂは、例えば駆動部３２ｂに駆動されてシステム光軸ＳＡ２に垂直な回転軸ＡＸのまわりに適宜回転して、第１回動ミラー１４ｂから第２回動ミラー１４ｄに向かう光束の角度や位置を調整する。また、第２支持部３３ｂに支持された第２回動ミラー１４ｄは、例えば駆動部３４ｂに駆動されてシステム光軸ＳＡ２に垂直な回転軸ＡＸのまわりに適宜回転して、第２回動ミラー１４ｄから第３固定ミラー１４ｆに向かう光束の角度や位置を調整する。以上により、第２光源部分１０ｂから射出される第２光束の光路すなわち第２照明光路ＬＰ２の配置を、第２光路屈曲部ＷＦ２において２段階で調整することができる。つまり、第２光路屈曲部ＷＦ２の存在により、第２光源部分１０ｂから均一化光学系１６のレンズアレイ１６ａ，１６ｂに入射する第２光束としての照明光の照射位置と照射角度とを微調整することができる。なお、第２光路屈曲部ＷＦ２による照明光の照射位置と照射角度との具体的な調整は、図２（Ａ）及び２（Ｂ）に示す第１光路屈曲部ＷＦ１による照明光の照射位置と照射角度との調整と同様であり、詳細な説明を省略する。
【００３０】
第３支持部３６ａに支持された第１集光レンズ１２ｅは、例えば駆動部３７ａに駆動されてシステム光軸ＳＡ１に沿って適宜移動する。これにより、例えば第２回動ミラー１４ｃに入射する光束のサイズを調整することができ、第１回動ミラー１４ａの回転等に伴って第２回動ミラー１４ｃ上で光束が位置ズレして光束が一部遮断される可能性等を低減することができる。これにより、第２光源部分１０ｂから取り出す光量を最大化することができ、プロジェクタ１００による投射画像の輝度を最大化することができる。
【００３１】
図３は、第１集光レンズ１２ｅによる光束サイズの調整を説明する図である。第２回動ミラー１４ｃで光束が十分に絞られていない場合（図３（Ａ）参照）、第１集光レンズ１２ｅのシステム光軸ＳＡ１上での配置を調整することにより、第２回動ミラー１４ｃ上でのビーム径を十分に小さくすることができ（図３（Ｂ）参照）、光束の遮断すなわちケラレの発生を抑えることができる。なお、第２回動ミラー１４ｃに入射する光束のサイズがばらつく原因としては、第１凹面鏡１２ｃの面精度又は組付け精度のバラツキ、第１発光管１２ａのレンズ効果のバラツキ等が考えられる。
【００３２】
図１に戻って、第３支持部３６ｂに支持された第２集光レンズ１２ｆは、例えば駆動部３７ｂに駆動されてシステム光軸ＳＡ２に沿って適宜移動する。これにより、例えば第２回動ミラー１４ｄに入射する光束のサイズを調整することができ、第１回動ミラー１４ｂの回転等に伴って第２回動ミラー１４ｄ上で光束が位置ズレして光束が一部遮断される可能性等を低減することができる。なお、第２集光レンズ１２ｆの移動による第２回動ミラー１４ｄ上でのビーム径の調整は、図３（Ａ）及び３（Ｂ）に示す第１集光レンズ１２ｅの移動による第２回動ミラー１４ｃ上でのビーム径の調整と同様である。
【００３３】
均一化光学系１６は、一対のレンズアレイ１６ａ，１６ｂと、偏光変換部材１６ｃと、重畳レンズ１６ｄとを備える。このうち、一対のレンズアレイ１６ａ，１６ｂは、マトリクス状に配置された複数の要素レンズからなり、これらの要素レンズによってコリメートレンズ１４ｈを経た合成後の光源光を分割して個別に集光・発散させる。偏光変換部材１６ｃは、レンズアレイ１６ａから射出した光源光を例えば図１の紙面に垂直なＳ偏光成分のみに変換して次段光学系に供給する。重畳レンズ１６ｄは、偏光変換部材１６ｃを経た照明光を全体として適宜収束させることにより、光変調部２５に設けた各色の液晶表示装置に対する重畳照明を可能にする。つまり、両レンズアレイ１６ａ，１６ｂと重畳レンズ１６ｄとを経た照明光は、以下に詳述する色分離光学系２３を経て、光変調部２５に設けられた各色の液晶パネル２５ａ，２５ｂ，２５ｃを均一に重畳照明する。
【００３４】
なお、第１光源部分１０ａや第２光源部分１０ｂから均一化光学系１６のレンズアレイ１６ａに入射させる光束は、上述の光合成部１４及び調整装置３０を利用して入射位置や入射角度を精密にアライメントすることが望ましく、これにより、レンズアレイ１６ｃの各セルに形成される両発光管１２ａ，１２ｂの光源像すなわちアーク像がセルからはみ出すことを有効に防止できる。
【００３５】
色分離光学系２３は、第１及び第２ダイクロイックミラー２３ａ，２３ｂと、補正光学系である３つのフィールドレンズ２３ｆ，２３ｇ，２３ｈと、反射ミラー２３ｍ，２３ｎ，２３ｏとを備え、光源装置２１とともに照明装置を構成する。ここで、第１ダイクロイックミラー２３ａは、赤緑青の３色のうち例えば青光を反射し赤光及び緑光を透過させる。また、第２ダイクロイックミラー２３ｂは、入射した赤及び緑の２色のうち例えば緑光を反射し赤光を透過させる。この色分離光学系２３において、均一化光学系１６からの略白色の光源光は、第１ダイクロイックミラー２３ａに入射する。第１ダイクロイックミラー２３ａで反射された青光は、例えばＳ偏光のまま、反射ミラー２３ｍを経て入射角度を調節するためのフィールドレンズ２３ｆに入射する。また、第１ダイクロイックミラー２３ａを通過して第２ダイクロイックミラー２３ｂでさらに反射された緑光は、例えばＳ偏光のままフィールドレンズ２３ｇに入射する。さらに、第２ダイクロイックミラー２３ｂを通過した赤光は、例えばＳ偏光のまま、レンズＬＬ１，ＬＬ２及び反射ミラー２３ｎ，２３ｏを経て、フィールドレンズ２３ｈに入射する。レンズＬＬ１，ＬＬ２及びフィールドレンズ２３ｈは、リレー光学系を構成している。このリレー光学系は、第１レンズＬＬ１の像を、第２レンズＬＬ２を介してほぼそのままフィールドレンズ２３ｈに伝達する機能を備えている。
【００３６】
光変調部２５は、３つの液晶パネル２５ａ，２５ｂ，２５ｃと、各液晶パネル２５ａ，２５ｂ，２５ｃを挟むように配置される３組の偏光フィルタ２５ｅ，２５ｆ，２５ｇとを備える。ここで、第１光路ＯＰ１に配置された青光用の液晶パネル２５ａと、これを挟む一対の偏光フィルタ２５ｅ，２５ｅとは、青光を画像情報に基づいて２次元的に輝度変調するための青色用の液晶ライトバルブを構成する。同様に、第２光路ＯＰ２に配置された緑光用の液晶パネル２５ｂと、対応する偏光フィルタ２５ｆ，２５ｆも、緑色用の液晶ライトバルブを構成し、第３光路ＯＰ３に配置された赤光用の液晶パネル２５ｃと、偏光フィルタ２５ｇ，２５ｇも、赤色用の液晶ライトバルブを構成する。
【００３７】
青光用の第１液晶パネル２５ａには、色分離光学系２３の第１ダイクロイックミラー２３ａで反射されることによって分岐された青光が、フィールドレンズ２３ｆを介して入射する。緑光用の第２液晶パネル２５ｂには、色分離光学系２３の第２ダイクロイックミラー２３ｂで反射されることによって分岐された緑光が、フィールドレンズ２３ｇを介して入射する。赤光用の第３液晶パネル２５ｃには、第２ダイクロイックミラー２３ｂを透過することによって分岐された赤光が、フィールドレンズ２３ｈを介して入射する。各液晶パネル２５ａ〜２５ｃは、入射した照明光の空間的強度分布を画素単位で変調するための非発光型の液晶表示装置であり、各液晶パネル２５ａ〜２５ｃにそれぞれ入射した３色の光は、各液晶パネル２５ａ〜２５ｃに電気的信号として入力された駆動信号或いは画像信号に応じて変調される。その際、偏光フィルタ２５ｅ，２５ｆ，２５ｇによって、各液晶パネル２５ａ〜２５ｃに入射する照明光の偏光方向が調整されるとともに、各液晶パネル２５ａ〜２５ｃから射出される変調光から所定の偏光方向の成分光が像光として取り出される。
【００３８】
クロスダイクロイックプリズム２７は、光合成部材であり、４つの直角プリズムを貼り合わせた平面視略正方形状をなし、直角プリズム同士を貼り合わせた界面には、Ｘ字状に交差する一対の誘電体多層膜２７ａ，２７ｂが形成されている。一方の第１誘電体多層膜２７ａは青色光を反射し、他方の第２誘電体多層膜２７ｂは赤色光を反射する。このクロスダイクロイックプリズム２７は、液晶パネル２５ａからの青光を第１誘電体多層膜２７ａで反射して進行方向左側に射出させ、液晶パネル２５ｂからの緑光を第１及び第２誘電体多層膜２７ａ，２７ｂを介して直進・射出させ、液晶パネル２５ｃからの赤光を第２誘電体多層膜２７ｂで反射して進行方向右側に射出させる。
【００３９】
投射レンズ２９は、クロスダイクロイックプリズム２７で合成されたカラーの像光を、所望の倍率でスクリーン（不図示）上に投射する。つまり、各液晶パネル２５ａ〜２５ｃに入力された駆動信号或いは画像信号に対応する所望の倍率のカラー動画やカラー静止画がスクリーン上に投射される。
【００４０】
以上の説明から明らかなように、本実施形態のプロジェクタ１００によれば、調整装置３０が第１光源部分１０ａからの第１光束と第２光源部分１０ｂからの第２光束とを、第１光路屈曲部ＷＦ１と第２光路屈曲部ＷＦ２とにおいて、光路の配置を２段階で調整するので、各光源部分１０ａ，１０ｂからの第１及び第２光束を入射位置や入射角度に関して個別に調整することができる。よって、両光源部分１０ａ，１０ｂからの第１及び第２光束を無駄なく合成して均一化光学系１６に入射させることができ、光変調部２５を高い照度で均一に照明することができる。
【００４１】
また、特に本実施形態のプロジェクタ１００では、調整装置３０が、第１光路屈曲部ＷＦ１に設けた回動ミラー１４ａ，１４ｃによって第１照明光路ＬＰ１を２段階で折り曲げて光路の調整を行うとともに、第２光路屈曲部ＷＦ２に設けた回動ミラー１４ｂ，１４ｄによって第２照明光路ＬＰ２を２段階で折り曲げて光路の調整を行う。この際、第１光路屈曲部ＷＦ１による照射位置及び照射角度の調整と、第２光路屈曲部ＷＦ２による照射位置及び照射角度の調整とを独立させているので、均一化光学系１６のレンズアレイ１６ｃの各セルにできる両光源部分１０ａ，１０ｂの光源像のサイズや配置を、精密に独立して調整することができる。
【００４２】
〔第２実施形態〕
以下、第２実施形態のプロジェクタについて説明する。なお、第２実施形態のプロジェクタは、第１実施形態のプロジェクタ１００を変形したものであり、特に説明しない部分は第１実施形態のプロジェクタ１００と同様であるものとする。
【００４３】
図４は、第２実施形態のプロジェクタの光学系の構造を概念的に説明する図である。このプロジェクタ２００の場合、第１光源部分１０ａは、第１発光管１２ａと第１凹面鏡２１２ｃとで構成され、第１凹面鏡２１２ｃは、第１発光管１２ａからの光束を収束させつつ反射する楕円ミラーである。このため、第１光源部分１０ａにおいて、第１凹面鏡２１２ｃの後段に集光レンズを設けていない。また、第２光源部分１０ｂは、第２発光管１２ｂと第２凹面鏡２１２ｄとで構成され、第２凹面鏡２１２ｄは、第２発光管１２ｂからの光束を収束させつつ反射する楕円ミラーである。このため、第２光源部分１０ｂにおいても、第２凹面鏡２１２ｄの後段に集光レンズを設けていない。
【００４４】
第１光源部分１０ａは、調整装置２３０に設けた第３支持部３８ａに支持されており、例えば駆動部３９ａに駆動されてシステム光軸ＳＡ１に沿って適宜移動する。これにより、例えば第２回動ミラー１４ｃに入射する第１光束のサイズを調整することができる。なお、第１光源部分１０ａの移動による第２回動ミラー１４ｃ上でのビーム径の調整は、図３（Ａ）及び３（Ｂ）に示す第１集光レンズ１２ｅの移動を利用した第２回動ミラー１４ｃ上でのビーム径の調整と同様である。
【００４５】
第２光源部分１０ｂは、調整装置２３０に設けた第３支持部３８ｂに支持されており、例えば駆動部３９ｂに駆動されてシステム光軸ＳＡ２に沿って適宜移動する。これにより、例えば第２回動ミラー１４ｄに入射する第２光束のサイズを調整することができる。なお、第２光源部分１０ｂの移動による第２回動ミラー１４ｄ上でのビーム径の調整は、図３（Ａ）及び３（Ｂ）に示す第１集光レンズ１２ｅの移動を利用した第２回動ミラー１４ｃ上でのビーム径の調整と同様である。
【００４６】
〔第３実施形態〕
以下、第３実施形態のプロジェクタについて説明する。なお、第３実施形態のプロジェクタは、第１実施形態のプロジェクタ１００を変形したものであり、特に説明しない部分は第１実施形態のプロジェクタ１００と同様であるものとする。
【００４７】
図５は、第３実施形態のプロジェクタの光学系の構造を概念的に説明する図である。このプロジェクタ３００の場合、調整装置３３０は、第１支持部３１ａ，３１ｂと、第２支持部３３３ａと、第３支持部３６ａ，３６ｂとを備える。ここで、第２支持部３３３ａは、図１の第２支持部３３ａに代えて設けたものであり、共通ミラーである第３回動ミラー３１４ｆを紙面に垂直な回転軸ＡＸのまわりに回転可能かつ固定可能に支持する。第２支持部３３３ａを設けたことに伴って、第２固定ミラー３１４ｃ，３１４ｄは、一定の姿勢に保持される。第２支持部３３３ａは、駆動部３３４ａに駆動されて動作し、第１支持部３１ａと協働して、一対の回動ミラー１４ａ，３１４ｆの回転位置を個別に調整する。これにより、第１光源部分１０ａから均一化光学系１６に入射させる第１光束の照射位置や照射角度を個別に調整することができる。また、第２支持部３３３ａは、第１支持部３１ｂと協働して、一対の回動ミラー１４ｂ，３１４ｆの回転位置を個別に調整する。これにより、第２光源部分１０ｂから均一化光学系１６に入射させる第２光束の照射位置や照射角度を個別に調整することができる。
【００４８】
なお、以上の説明では、第３支持部３６ａ，３６ｂによって集光レンズ１２ｅ，１２ｆをシステム光軸ＳＡ１，ＳＡ２に沿って移動させているが、同様の支持部によって第１光源部分１０ａ及び第２光源部分１０ｂをシステム光軸ＳＡ１，ＳＡ２に沿って移動させることもできる。この場合、両光源部分１０ａ，１０ｂにおいて、集光レンズ１２ｅ，１２ｆを省略し凹面鏡１２ｃ，１２ｄを収束用の楕円ミラーとする。
【００４９】
〔第４実施形態〕
以下、第４実施形態のプロジェクタについて説明する。なお、第４実施形態のプロジェクタは、第１実施形態のプロジェクタ１００を変形したものであり、特に説明しない部分は第１実施形態のプロジェクタ１００と同様であるものとする。
【００５０】
図６は、第４実施形態のプロジェクタの光学系の構造を概念的に説明する図である。このプロジェクタ４００の場合、調整装置４３０は、第１支持部４３１ａと、第２支持部４３３ａと、第３支持部３６ａ，３６ｂとを備える。ここで、第１支持部４３１ａは、図１の第１支持部３１ａに代えて設けたものであり、第２支持部４３３ａは、図１の第１支持部３３ａに代えて設けたものである。第１支持部４３１ａを設けたことに伴って、第１固定ミラー４１４ａ，４１４ｂは、一定の姿勢に保持される。また、第２支持部４３３ａを設けたことに伴って、第２固定ミラー３１４ｃ，３１４ｄも、一定の姿勢に保持される。第１支持部４３１ａは、共通ミラーである第３回動ミラー４１４ｆを紙面に垂直な回転軸ＡＸのまわりに回転可能かつ固定可能に支持し、第２支持部４３３ａは、第４回動ミラー４１４ｇを紙面に垂直な回転軸ＡＸのまわりに回転可能かつ固定可能に支持する。第１支持部４３１ａと第２支持部４３３ａとは、駆動部４３２ａ，４３４ａにそれぞれ駆動されて、一対の回動ミラー４１４ｆ，４１４ｇの回転位置をそれぞれ個別に調整する。これにより、第１光源部分１０ａや第２光源部分１０ｂから均一化光学系１６に入射させる第１及び第２光束の照射位置や照射角度を調整することができる。
【００５１】
なお、以上の説明では、第３支持部３６ａ，３６ｂによって集光レンズ１２ｅ，１２ｆをシステム光軸ＳＡ１，ＳＡ２に沿って移動させているが、同様の支持部によって第１光源部分１０ａ及び第２光源部分１０ｂをシステム光軸ＳＡ１，ＳＡ２に沿って移動させることもできる。この場合、両光源部分１０ａ，１０ｂにおいて、集光レンズ１２ｅ，１２ｆを省略し凹面鏡１２ｃ，１２ｄを収束用の楕円ミラーとする。
【００５２】
〔第５実施形態〕
以下、第５実施形態のプロジェクタについて説明する。なお、第５実施形態のプロジェクタは、第３実施形態のプロジェクタ３００を変形したものであり、特に説明しない部分は第３実施形態のプロジェクタ３００と同様であるものとする。
【００５３】
図７は、第５実施形態のプロジェクタの光学系の構造を概念的に説明する図である。このプロジェクタ５００の場合、調整装置５３０は、第１支持部５３１ａ，５３１ｂと、第２支持部３３３ａとを備える。ここで、第１支持部５３１ａ，５３１ｂは、図５の第１支持部３１ａ，３１ｂに代えて設けたものであり、それぞれ駆動部５３２ａ，５３２ｂに駆動されて、第１光源部分１０ａ及び第２光源部分１０ｂの集光レンズ１２ｅ，１２ｆをシステム光軸ＳＡ１，ＳＡ２垂直な方向（例えば紙面に平行な方向や紙面に垂直な方向）に移動させることができる。また、第２支持部３３３ａは、第３回動ミラー３１４ｆを紙面に垂直な回転軸ＡＸのまわりに回転可能かつ固定可能に支持する。これにより、両光源部分１０ａ，１０ｂから均一化光学系１６に入射させる第１及び第２光束の照射位置や照射角度を個別に調整することができる。
【００５４】
なお、第１支持部５３１ａ，５３１ｂは、集光レンズ１２ｅ，１２ｆをシステム光軸ＳＡ１，ＳＡ２に垂直な方向に移動させるだけに限らず、両集光レンズ１２ｅ，１２ｆをシステム光軸ＳＡ１，ＳＡ２に対して所望の方向に所望の角度だけ傾けるものとすることができる。つまり、両集光レンズ１２ｅ，１２ｆを回転軸ＡＸにまわりにおいて任意の角度状態に回転させることができる。この場合、第２支持部３３３ａは不要となり、第３回動ミラー３１４ｆを固定して使用する。
【００５５】
また、第１支持部５３１ａ，５３１ｂには、各集光レンズ１２ｅ，１２ｆをシステム光軸ＳＡ１，ＳＡ２に沿って移動させる機能を追加することもできる。これにより、例えば第２固定ミラー３１４ｃ，３１４ｄに入射する光束のサイズを調整することができる。
【００５６】
〔第６実施形態〕
以下、第６実施形態のプロジェクタについて説明する。なお、第６実施形態のプロジェクタも、第３実施形態のプロジェクタ３００を変形したものであり、特に説明しない部分は第３実施形態のプロジェクタ３００と同様であるものとする。
【００５７】
図８は、第６実施形態のプロジェクタの光学系の構造を概念的に説明する図である。このプロジェクタ６００の場合、調整装置６３０は、第１支持部６３１ａ，６３１ｂと、第２支持部３３３ａとを備える。ここで、第１支持部６３１ａ，６３１ｂは、図５の第１支持部３１ａ，３１ｂに代えて設けたものであり、それぞれ駆動部６３２ａ，６３２ｂに駆動されて、第１光源部分１０ａ及び第２光源部分１０ｂをシステム光軸ＳＡ１，ＳＡ２垂直な方向（例えば紙面に平行な方向や紙面に垂直な方向）に移動させることができる。ここで、両光源部分１０ａ，１０ｂに設けた凹面鏡２１２ｃ，２１２ｄは、図４の場合と同様に楕円ミラーとなっている。一方、第２支持部３３３ａは、第３回動ミラー３１４ｆを紙面に垂直な回転軸ＡＸのまわりに回転可能かつ固定可能に支持する。これにより、両光源部分１０ａ，１０ｂから均一化光学系１６に入射させる第１及び第２光束の照射位置や照射角度を個別に調整することができる。
【００５８】
なお、第１支持部６３１ａ，６３１ｂは、両光源部分１０ａ，１０ｂをシステム光軸ＳＡ１，ＳＡ２に垂直な方向に移動させるだけに限らず、両光源部分１０ａ，１０ｂをシステム光軸ＳＡ１，ＳＡ２に対して所望の方向に所望の角度だけ傾けるものとすることができる。つまり、両光源部分１０ａ，１０ｂを回転軸ＡＸにまわりで任意の角度状態に回転させることができる。この場合、第２支持部３３３ａは不要となり、第３回動ミラー３１４ｆを固定して使用する。
【００５９】
また、第１支持部６３１ａ，６３１ｂには、各光源部分１０ａ，１０ｂをシステム光軸ＳＡ１，ＳＡ２に沿って移動させる機能を追加することもできる。これにより、例えば第２固定ミラー３１４ｃ，３１４ｄに入射する第１及び第２光束のサイズを調整することができる。
【００６０】
以上実施形態に即して本発明を説明したが、本発明は、上記実施形態に限定されるものではない。例えば、上記実施形態の光源部分１０ａ，１０ｂに用いる発光管１２ａ，１２ｂとしては、高圧水銀ランプやメタルハライドランプ等種々のものが考えられる。
【００６１】
また、上記実施形態のプロジェクタでは、合成後の光束を複数の部分光束に分割するため、一対のレンズアレイ１６ａ，１６ｃを用いていたが、レンズアレイ１６ａ，１６ｃに代えて、ロッドインテグレータを用いることもできる。
【００６２】
また、上記実施形態では、合成後の光束を特定方向の偏光とするため、偏光変換部材１６ｂを用いていたが、この発明は、このような偏光変換部材１６ｂを用いないプロジェクタにも適用可能である。
【００６３】
また、上記実施形態では、光変調装置を３つ用いたプロジェクタの例について説明したが、本発明は、光変調装置を１つ、２つ、あるいは４つ以上用いたプロジェクタにも適用することができる。
【００６４】
また、上記実施形態では、透過型のプロジェクタに本発明を適用した場合の例について説明したが、本発明は、反射型プロジェクタにも適用することが可能である。ここで、「透過型」とは、液晶表示パネル等を含むライトバルブが光を透過するタイプであることを意味しており、「反射型」とは、ライトバルブが光を反射するタイプであることを意味している。反射型プロジェクタの場合、ライトバルブは液晶表示パネルのみによって構成することが可能であり、一対の偏光板は不要である。なお、光変調装置は、液晶表示パネル等からなる液晶ライトバルブに限られず、例えばマイクロミラーを用いた光変調装置であってもよい。
【００６５】
また、プロジェクタとしては、投射面を観察する方向から画像投射を行う前面プロジェクタと、投射面を観察する方向とは反対側から画像投射を行う背面プロジェクタとがあるが、図１〜８のプロジェクタ１００〜６００の構成は、いずれにも適用可能である。
【図面の簡単な説明】
【００６６】
【図１】本発明の第１実施形態に係るプロジェクタを説明する図である。
【図２】（Ａ）、（Ｂ）は、第１光路屈曲部による照明光の照射位置と照射角度との調整を説明する光路展開図である。
【図３】（Ａ）、（Ｂ）は、集光レンズによる光束サイズの調整を説明する光路展開図である。
【図４】第２実施形態のプロジェクタを説明する図である。
【図５】第３実施形態のプロジェクタを説明する図である。
【図６】第４実施形態のプロジェクタを説明する図である。
【図７】第５実施形態のプロジェクタを説明する図である。
【図８】第６実施形態のプロジェクタを説明する図である。
【符号の説明】
【００６７】
１０ａ…第１光源部分、  １０ｂ…第２光源部分、  １２ａ…第１発光管、  １２ｂ…第２発光管、  １２ｃ…第１凹面鏡、  １２ｄ…第２凹面鏡、  １２ｅ…第１集光レンズ、  １２ｆ…第２集光レンズ、  １４…光合成部、  １４ａ，１４ｂ…第１回動ミラー、  １４ｃ，１４ｄ…第２回動ミラー、  １４ｆ…第３固定ミラー、  １４ｇ…第４固定ミラー、  １４ｈ…コリメートレンズ、  １６…均一化光学系、  １６ａ，１６ｃ…レンズアレイ、  １６ｃ…偏光変換部材、  １６ｄ…重畳レンズ、  ２１…光源装置、  ２３…色分離光学系、  ２３ａ，２３ｂ…ダイクロイックミラー、  ２５…光変調部、  ２５ａ，２５ｂ，２５ｃ…液晶パネル、  ２７…クロスダイクロイックプリズム、  ２９…投射レンズ、  ３０…調整装置、  ３１ａ，３１ｂ…第１支持部、  ３２ａ，３３ａ…駆動部、  ３３ａ，３３ｂ…第２支持部、  ３４ａ，３４ａ…駆動部、  ３６ａ，３６ｂ…第３支持部、  ３７ａ，３７ｂ…駆動部、  １００…プロジェクタ、  １００…本プロジェクタ、  ＡＸ…回転軸、  ＬＰ１…第１照明光路、  ＬＰ２…第２照明光路、  ＳＡ１，ＳＡ２…システム光軸、  ＷＦ１…第１光路屈曲部、  ＷＦ２…第２光路屈曲部
【図１】
0004553012.tif 000002
【図２】
0004553012.tif 000003
【図３】
0004553012.tif 000004
【図４】
0004553012.tif 000005
【図５】
0004553012.tif 000006
【図６】
0004553012.tif 000007
【図７】
0004553012.tif 000008
【図８】
0004553012.tif 000009